【手続補正書】
【提出日】平成25年1月11日(2013.1.11)
【手続補正１】
【補正対象書類名】明細書
【補正対象項目名】０００８
【補正方法】変更
【補正の内容】
【０００８】
上記した目的を達成するために、本発明の画像処理システムは、サーバ装置と、画像読取機構を備える画像処理装置と、を備える画像処理システムであって、前記サーバ装置は、前記画像処理装置による原稿の読み取り時の読取設定情報である第１の設定情報、並びに、前記読取設定に従った読み取り処理を行うことで画像処理装置により作成される画像ファイルに対して実行する処理、及び、その処理主体を定義した第２の設定情報を含むスキャンチケットデータを記憶する記憶手段と、画像処理装置からのスキャンチケットデータの要求に応じて、前記記憶手段に記憶されているスキャンチケットデータを前記画像処理装置に送信する第１の送信手段と、を備え、前記画像処理装置は、前記サーバ装置に対して、スキャンチケットデータを要求する要求手段と、前記要求手段によるスキャンデータの要求に応じて、前記第１の送信手段により送信されるスキャンチケットデータを受信する第１の受信手段と、前記第１の受信手段で受信したスキャンチケットデータに含まれる第１の設定情報に従って前記読取機構を用いて原稿を読み取ることで、画像ファイルを作成する第１の作成手段と、前記スキャンチケットデータに含まれる第２の設定情報に定義された前記画像ファイルに対して実行する処理が、画像処理装置で実行する処理であるかを判定する第１の判定手段と、前記スキャンチケットデータに含まれる第２の設定情報に定義された処理であって、前記第１の判定手段により画像処理装置で実行する処理と判定される処理を実行する第１の実行手段と、を備えることを特徴とする。
【手続補正２】
【補正対象書類名】明細書
【補正対象項目名】０００９
【補正方法】変更
【補正の内容】
【０００９】
上記した目的を達成するために、本発明の画像処理方法は、サーバ装置と、画像読取機構を備える画像処理装置と、を備える画像処理システムによって行われる画像処理方法であって、前記サーバ装置の記憶手段が、前記画像処理装置による原稿の読み取り時の読取設定情報である第１の設定情報、並びに、前記読取設定に従った読み取り処理を行うことで画像処理装置により作成される画像ファイルに対して実行する処理、及び、その処理主体を定義した第２の設定情報を含むスキャンチケットデータを記憶装置に記憶する記憶工程と、前記サーバ装置の第１の送信手段が、画像処理装置からのスキャンチケットデータの要求に応じて、前記記憶装置に記憶されているスキャンチケットデータを前記画像処理装置に送信する第１の送信工程と、前記画像処理装置の要求手段が、前記サーバ装置に対して、スキャンチケットデータを要求する要求工程と、前記画像処理装置の第１の受信手段が、前記要求工程によるスキャンデータの要求に応じて、前記第１の送信工程により送信されるスキャンチケットデータを受信する第１の受信工程と、前記画像処理装置の第１の作成手段が、前記第１の受信工程で受信したスキャンチケットデータに含まれる第１の設定情報に従って前記読取機構を用いて原稿を読み取ることで、画像ファイルを作成する第１の作成工程と、前記画像処理装置の第１の判定手段が、前記スキャンチケットデータに含まれる第２の設定情報に定義された前記画像ファイルに対して実行する処理が、画像処理装置で実行する処理であるかを判定する第１の判定工程と、前記画像処理装置の第１の実行手段が、前記スキャンチケットデータに含まれる第２の設定情報に定義された前記処理であって、前記第１の判定工程により画像処理装置で実行する処理と判定される処理を実行する第１の実行工程と、を備えることを特徴とする。
【手続補正３】
【補正対象書類名】明細書
【補正対象項目名】００５８
【補正方法】変更
【補正の内容】
【００５８】
スキャンチケット名入力部８０１は、これから作成するスキャンチケットの名称の入力を受け付ける入力部である。使用可能ユーザ指定部８０２は、この新規スキャンチケット作成画面８００に入力された項目により作成されるスキャンチケットを使用可能なユーザを指定する指定部である。例えば、全ユーザ、作成者のみ、作成者と同じ課のユーザ、任意のユーザ、任意のグループ等を指定することが可能である。
【手続補正４】
【補正対象書類名】特許請求の範囲
【補正対象項目名】全文
【補正方法】変更
【補正の内容】
【特許請求の範囲】
【請求項１】
サーバ装置と、画像読取機構を備える画像処理装置と、を備える画像処理システムであって、
前記サーバ装置は、
前記画像処理装置による原稿の読み取り時の読取設定情報である第１の設定情報、並びに、前記読取設定に従った読み取り処理を行うことで画像処理装置により作成される画像ファイルに対して実行する処理、及び、その処理主体を定義した第２の設定情報を含むスキャンチケットデータを記憶する記憶手段と、
画像処理装置からのスキャンチケットデータの要求に応じて、前記記憶手段に記憶されているスキャンチケットデータを前記画像処理装置に送信する第１の送信手段と、
を備え、
前記画像処理装置は、
前記サーバ装置に対して、スキャンチケットデータを要求する要求手段と、
前記要求手段によるスキャンデータの要求に応じて、前記第１の送信手段により送信されるスキャンチケットデータを受信する第１の受信手段と、
前記第１の受信手段で受信したスキャンチケットデータに含まれる第１の設定情報に従って前記読取機構を用いて原稿を読み取ることで、画像ファイルを作成する第１の作成手段と、
前記スキャンチケットデータに含まれる第２の設定情報に定義された前記画像ファイルに対して実行する処理が、画像処理装置で実行する処理であるかを判定する第１の判定手段と、
前記スキャンチケットデータに含まれる第２の設定情報に定義された処理であって、前記第１の判定手段により画像処理装置で実行する処理と判定される処理を実行する第１の実行手段と、
を備えることを特徴とする画像処理システム。
【請求項２】
前記スキャンチケットデータの第２の設定情報に定義された処理に、前記第１の判定手段により、画像処理装置で実行する処理ではないと判定される処理が含まれる場合に、前記第１の作成手段で作成された画像ファイルをサーバ装置の所定のディレクトリに送信する第２の送信手段
を更に備えることを特徴とする請求項１に記載の画像処理システム。
【請求項３】
前記第２の送信手段は、前記画像ファイルとともに、前記第１の作成手段による画像データの作成処理に用いたスキャンチケットデータを特定するための特定情報を、前記サーバ装置に送信し、
前記サーバ装置は、
前記画像処理装置から送信された画像ファイル、及び、前記特定情報を受信する第２の受信手段と、
前記第２の受信手段で受信した特定情報により特定されるスキャンチケットデータに含まれる第２の設定情報で定義された処理であって、処理主体がサーバ装置と定義された処理を、前記画像ファイルに対して実行する第２の実行手段と、
を更に備えることを特徴とする請求項２に記載の画像処理システム。
【請求項４】
前記記憶手段に記憶されているスキャンチケットデータには、当該スキャンチケットデータを利用可能なユーザに関する情報が含まれ、
前記画像処理装置は、
当該画像処理装置を使用するユーザを特定するための特定手段を更に備え、
前記要求手段は、前記特定手段により特定されたユーザが利用可能なスキャンチケットデータを前記サーバ装置に要求すること
を特徴とする請求項１乃至３のいずれか１項に記載の画像処理システム。
【請求項５】
前記サーバ装置は、
クライアント装置から前記スキャンチケットデータの作成要求を受け付ける第１の受付手段と、
前記第１の受付手段で受け付けた作成要求に従って、前記スキャンチケットデータを作成する第２の作成手段を備え、
前記記憶手段は、前記第２の作成手段で作成されたスキャンチケットデータを記憶すること
を特徴とする請求項１乃至４のいずれか１項に記載の画像処理システム。
【請求項６】
前記画像処理装置は、
前記第１の受信手段で受信したスキャンチケットデータを表示部に一覧表示する表示制御手段と、
前記表示制御手段により表示部に一覧表示されるスキャンチケットデータから、前記第１の作成手段による画像ファイルの作成に使用するスキャンチケットデータの指定を受け付ける第２の受付手段と、
を更に備え、
前記第１の作成手段は、前記第２の受付手段で指定を受け付けたスキャンチケットデータに定義された第１の設定情報に従って前記読取機構を用いて原稿を読み取ることで、画像ファイルを作成し、
前記第１の実行手段は、前記第２の受付手段で指定を受け付けたスキャンチケットデータの第２の設定情報に定義された前記処理であって、前記第１の判定手段により、画像処理装置で実行する処理と判定される処理を実行する
ことを特徴とする請求項１乃至５のいずれか１項に記載の画像処理システム。
【請求項７】
前記処理主体を画像処理装置に設定可能な処理には、ファックス送信処理、ファイル送信処理、及び、電子メール送信処理のうち少なくともいずれか１つが含まれること
を特徴とする請求項１乃至６のいずれか１項に記載の画像処理システム。
【請求項８】
読取機構を備える画像処理装置であって、
画像処理装置による原稿の読み取り時の読取設定である第１の設定情報、並びに、前記読取設定に従った読み取り処理を行うことで画像処理装置により作成される画像ファイルに対して実行する処理、及び、その処理主体を定義した第２の設定情報を含むスキャンチケットデータを取得する取得手段と、
前記取得手段で取得したスキャンチケットデータに含まれる第１の設定情報に従って前記読取機構を用いて原稿を読み取ることで、画像ファイルを作成する作成手段と、
前記スキャンチケットデータに含まれる第２の設定情報に定義された前記画像ファイルに対して実行する処理が、画像処理装置で実行する処理であるかを判定する判定手段と、
前記スキャンチケットデータに含まれる第２の設定情報に定義された処理であって、前記第１の判定手段により画像処理装置で実行する処理と判定される処理を実行する実行手段と、
を備えることを特徴とする画像処理装置。
【請求項９】
前記スキャンチケットデータに、前記判定手段により、画像処理装置で実行する処理ではないと判定される処理が含まれる場合に、前記作成手段で作成された画像ファイルをサーバ装置の所定のディレクトリに送信する送信手段
を更に備えることを特徴とする請求項８に記載の画像処理装置。
【請求項１０】
前記取得手段で取得したスキャンチケットデータを表示部に一覧表示する表示制御手段と、
前記表示制御手段により表示部に一覧表示されるスキャンチケットデータから、前記作成手段による画像ファイルの作成に使用するスキャンチケットデータの指定を受け付ける受付手段と、
を更に備え、
前記作成手段は、前記受付手段で指定を受け付けたスキャンチケットデータに含まれる第１の設定情報に従って前記読取機構を用いて原稿を読み取ることで、画像ファイルを作成し、
前記実行手段は、前記受付手段で指定を受け付けたスキャンチケットデータに含まれる第２の設定情報に定義された前記処理であって、前記第１の判定手段により画像処理装置で実行する処理と判定される処理を実行する
ことを特徴とする請求項８または９に記載の画像処理装置。
【請求項１１】
サーバ装置と、画像読取機構を備える画像処理装置と、を備える画像処理システムによって行われる画像処理方法であって、
前記サーバ装置の記憶手段が、前記画像処理装置による原稿の読み取り時の読取設定情報である第１の設定情報、並びに、前記読取設定に従った読み取り処理を行うことで画像処理装置により作成される画像ファイルに対して実行する処理、及び、その処理主体を定義した第２の設定情報を含むスキャンチケットデータを記憶装置に記憶する記憶工程と、
前記サーバ装置の第１の送信手段が、画像処理装置からのスキャンチケットデータの要求に応じて、前記記憶装置に記憶されているスキャンチケットデータを前記画像処理装置に送信する第１の送信工程と、
前記画像処理装置の要求手段が、前記サーバ装置に対して、スキャンチケットデータを要求する要求工程と、
前記画像処理装置の第１の受信手段が、前記要求工程によるスキャンデータの要求に応じて、前記第１の送信工程により送信されるスキャンチケットデータを受信する第１の受信工程と、
前記画像処理装置の第１の作成手段が、前記第１の受信工程で受信したスキャンチケットデータに含まれる第１の設定情報に従って前記読取機構を用いて原稿を読み取ることで、画像ファイルを作成する第１の作成工程と、
前記画像処理装置の第１の判定手段が、前記スキャンチケットデータに含まれる第２の設定情報に定義された前記画像ファイルに対して実行する処理が、画像処理装置で実行する処理であるかを判定する第１の判定工程と、
前記画像処理装置の第１の実行手段が、前記スキャンチケットデータに含まれる第２の設定情報に定義された前記処理であって、前記第１の判定工程により画像処理装置で実行する処理と判定される処理を実行する第１の実行工程と、
を備えることを特徴とする画像処理方法。
【請求項１２】
読取機構を備える画像処理装置によって行われる画像処理方法であって、
画像処理装置による原稿の読み取り時の読取設定情報である第１の設定情報、並びに、前記読取設定に従った読み取り処理を行うことで画像処理装置により作成される画像ファイルに対して実行する処理、及び、その処理主体を定義した第２の設定情報を含むスキャンチケットデータを取得する取得工程と、
前記取得工程で取得したスキャンチケットデータに含まれる第１の設定情報に従って前記読取機構を用いて原稿を読み取ることで、画像ファイルを作成する作成工程と、
前記スキャンチケットデータに含まれる第２の設定情報に定義された前記画像ファイルに対して実行する処理が、画像処理装置で実行する処理であるかを判定する判定工程と、
前記スキャンチケットデータに含まれる第２の設定情報に定義された前記処理であって、前記判定工程により画像処理装置が実行する処理と判定される処理を実行する実行工程と、
を備えることを特徴とする画像処理方法。
【請求項１３】
サーバ装置と、画像読取機構を備える画像処理装置と、を備える画像処理システムで実行可能なコンピュータプログラムであって、
前記サーバ装置を、
前記画像処理装置による原稿の読み取り時の読取設定情報である第１の設定情報、並びに、前記読取設定に従った読み取り処理を行うことで画像処理装置により作成される画像ファイルに対して実行する処理、及び、その処理主体を定義した第２の設定情報を含むスキャンチケットデータを記憶装置に記憶する記憶手段と、
画像処理装置からのスキャンチケットデータの要求に応じて、前記記憶装置に記憶されているスキャンチケットデータを前記画像処理装置に送信する第１の送信手段
として機能させ、
前記画像処理装置を、
前記サーバ装置に対して、スキャンチケットデータを要求する要求手段と、
前記要求手段によるスキャンデータの要求に応じて、前記第１の送信手段により送信されるスキャンチケットデータを受信する第１の受信手段と、
前記第１の受信手段で受信したスキャンチケットデータに含まれる第１の設定情報に従って前記読取機構を用いて原稿を読み取ることで、画像ファイルを作成する第１の作成手段と、
前記スキャンチケットデータに含まれる第２の設定情報に定義された前記画像ファイルに対して実行する処理が、画像処理装置で実行する処理であるかを判定する第１の判定手段と、
前記スキャンチケットデータに含まれる第２の設定情報に定義された前記処理であって、前記第１の判定手段により画像処理装置で実行する処理と判定される処理を実行する第１の実行手段
として機能させることを特徴とするコンピュータプログラム。
【請求項１４】
読取機構を備える画像処理装置を、
画像処理装置による原稿の読み取り時の読取設定である第１の設定情報、並びに、前記読取設定に従った読み取り処理を行うことで画像処理装置により作成される画像ファイルに対して実行する処理、及び、その処理主体を定義した第２の設定情報を含むスキャンチケットデータを取得する取得手段と、
前記取得手段で取得したスキャンチケットデータに含まれる第１の設定情報に従って前記読取機構を用いて原稿を読み取ることで、画像ファイルを作成する作成手段と、
前記スキャンチケットデータに含まれる第２の設定情報に定義された前記画像ファイルに対して実行する処理が、画像処理装置で実行する処理であるかを判定する判定手段と、
前記スキャンチケットデータに含まれる第２の設定情報に定義された前記処理であって、前記判定手段により画像処理装置が実行する処理と判定される処理を実行する実行手段
として機能させることを特徴とするコンピュータプログラム。